(57)【要約】【課題】ガスタービンエンクロージャを提供する。【解決手段】ガスタービンエンクロージャ装置であって、内部が形成されたフレームと、内部に配置されるガスタービン装置であって、第１の場所で予め組み立てられ、第２の場所に配置されるガスタービンと接続可能であるガスタービン装置と、フレームと連結可能な壁パネルとを含むガスタービンエンクロージャ装置が提供される。本装置は、ガスタービン装置がガスタービンに露出され、壁パネルの一部がガスタービンおよびガスタービン装置の外部エンクロージャの一部を形成するようにガスタービンの近傍に配置可能である。【選択図】図１
2015086875.tif 000002
【特許請求の範囲】
【請求項１】
ガスタービンエンクロージャ装置であって、
内部（２２、３２、４２、５２）が形成されたフレーム（２１、３１、４１、５１）と、前記内部（２２、３２、４２、５２）に配置されるガスタービン装置（２３、３３、４３、５３）であって、第１の場所（１）で予め組み立てられ、第２の場所（２）に配置されるガスタービン（１０）と接続可能であるガスタービン装置（２３、３３、４３、５３）と、前記フレーム（２１、３１、４１、５１）と連結可能な壁パネル（２４、３４、４４、５４）とを備え、前記ガスタービン装置（２３、３３、４３、５３）が前記ガスタービン（１０）に露出され、前記壁パネル（２４、３４、４４、５４）の一部が前記ガスタービン（１０）および前記ガスタービン装置（２３、３３、４３、５３）の外部エンクロージャ（６０）の一部を形成するように前記ガスタービン（１０）の近傍に配置可能であるガスタービンエンクロージャ装置。
【請求項２】
前記フレーム（２１、３１、４１、５１）が、容積形状を有する、請求項１に記載のガスタービンエンクロージャ装置。
【請求項３】
前記ガスタービン装置（２３、３３、４３、５３）が、配管、配管サポート、弁、および電気装置を備える、請求項１に記載のガスタービンエンクロージャ装置。
【請求項４】
前記フレーム（２１）および前記ガスタービン装置（２３）が、燃料制御モジュール（２０）を形成する、請求項１に記載のガスタービンエンクロージャ装置。
【請求項５】
前記フレーム（３１）および前記ガスタービン装置（３３）が、抽気モジュール（３０）を形成する、請求項１に記載のガスタービンエンクロージャ装置。
【請求項６】
前記フレーム（４１）および前記ガスタービン装置（４３）が、排水モジュール（４０）を形成する、請求項１に記載のガスタービンエンクロージャ装置。
【請求項７】
前記壁パネル（２４、３４、４４、５４）が、前記外部エンクロージャ（６０）が前記ガスタービン（１０）によって発生する音を減衰させるように構成される、請求項１に記載のガスタービンエンクロージャ装置。
【請求項８】
ガスタービンエンクロージャ装置であって、
内部（２２、３２、４２、５２）が形成されたフレーム（２１、３１、４１、５１）と、前記内部（２２、３２、４２、５２）に配置されるガスタービン装置（２３、３３、４３、５３）であって、第１の場所（１）で予め組み立てられ、第２の場所（２）に配置されるガスタービン（１０）と接続可能であるガスタービン装置（２３、３３、４３、５３）と、前記フレーム（２１、３１、４１、５１）と連結可能な固定的な防音壁パネル（２４１、３４１、４４１、５４１）および一時的な輸送コンテナパネル（２４２、３４２、４４２、５４２）とを備え、前記一時的な輸送コンテナパネル（２４２、３４２、４４２、５４２）が前記フレーム（２１、３１、４１、５１）から取り外されると、前記ガスタービン装置（２３、３３、４３、５３）が、前記ガスタービン（１０）に露出され、前記固定的な防音壁パネル（２４１、３４１、４４１、５４１）が、前記ガスタービン（１０）および前記ガスタービン装置（２３、３３、４３、５３）の外部エンクロージャ（６０）の一部を形成するように、前記ガスタービン（１０）の近傍に配置可能であり、別のガスタービンエンクロージャ装置に積み重ね可能であるガスタービンエンクロージャ装置。
【請求項９】
前記フレーム（２１、３１、４１、５１）が、容積形状を有する、請求項８に記載のガスタービンエンクロージャ装置。
【請求項１０】
前記ガスタービン装置（２３、３３、４３、５３）が、配管、配管サポート、弁、および電気装置を備える、請求項８に記載のガスタービンエンクロージャ装置。
【請求項１１】
前記フレーム（２１）および前記ガスタービン装置（２３）が、燃料制御モジュール（２０）を形成する、請求項８に記載のガスタービンエンクロージャ装置。
【請求項１２】
前記フレーム（３１）および前記ガスタービン装置（３３）が、抽気モジュール（３０）を形成する、請求項８に記載のガスタービンエンクロージャ装置。
【請求項１３】
前記フレーム（４１）および前記ガスタービン装置（４３）が、排水モジュール（４０）を形成する、請求項８に記載のガスタービンエンクロージャ装置。
【請求項１４】
前記固定的な防音壁パネル（２４１、３４１、４４１、５４１）が、前記外部エンクロージャ（６０）が前記ガスタービン（１０）によって発生する音を減衰させるように構成される、請求項８に記載のガスタービンエンクロージャ装置。
【請求項１５】
ガスタービン（１０）を収容するためのガスタービンエンクロージャ装置であって、
１種類以上のモジュールを含む複数のモジュールを備え、前記複数のモジュールのそれぞれが、内部（２２、３２、４２、５２）が形成されたフレーム（２１、３１、４１、５１）と、前記内部（２２、３２、４２、５２）に配置されるガスタービン装置（２３、３３、４３、５３）であって、第１の場所（１）で予め組み立てられ、第２の場所（２）に配置されるガスタービン（１０）と接続可能であるガスタービン装置（２３、３３、４３、５３）と、前記フレーム（２１、３１、４１、５１）と連結可能な壁パネル（２４、３４、４４、５４）とを備え、前記複数のモジュールの各モジュールの前記壁パネル（２４、３４、４４、５４）の一部が、前記ガスタービン（１０）および前記ガスタービン装置（２３、３３、４３、５３）の外部エンクロージャ（６０）の一部を協働して形成するように構成されるガスタービンエンクロージャ装置。
【請求項１６】
前記１種類以上のモジュールが、燃料制御モジュール（２０）、抽気モジュール（３０）、排水モジュール（４０）、および付加的な抽気モジュール（５０）を含む、請求項１５に記載のガスタービンエンクロージャ装置。
【請求項１７】
ガスタービン用作業足場（６１）をさらに備える、請求項１５に記載のガスタービンエンクロージャ装置。
【請求項１８】
前記複数のモジュールの一部によって支持可能なグレーチング（６２）をさらに備える、請求項１５に記載のガスタービンエンクロージャ装置。
【請求項１９】
前記外部エンクロージャ（６０）が、１つ以上の保守点検用進入位置（６４）が設けられるように形成される、請求項１５に記載のガスタービンエンクロージャ装置。
【請求項２０】
前記外部エンクロージャ（６０）が、ルーフ部分（６３２）を備える、請求項１５に記載のガスタービンエンクロージャ装置。
【発明の詳細な説明】
【技術分野】
【０００１】
本明細書に開示されている主題は、ガスタービンエンクロージャに関する。より具体的には、本明細書に開示されている主題は、予め組み立てられたモジュールから形成されるガスタービンエンクロージャに関する。
【背景技術】
【０００２】
一般にガスタービンは、圧縮機、燃焼器、およびタービン部を含む。圧縮機は、流入空気を圧縮するように構成されている。次に、この流入空気は、高温高圧の作動流体を生成するために燃焼器において燃料と混合され、燃焼される。作動流体は、タービン部に受け入れられ、そこで、機械的エネルギーを発生させるために膨張される。この機械的エネルギーは、圧縮機の回転を駆動するために使用され、また、発電に用いられてもよい。ガスタービンは、多くの場合、相当な数の部品（配管、弁、電気装置など）と接続され、消音を実現するエンクロージャ内に収容される。
【０００３】
ガスタービンの組立工程において、ガスタービンの様々な部品は、ガスタービンが作製され、組み立てられるべき場所まで輸送される。このような場所は、多くの場合、ガスタービンの運転が地域住民の迷惑にならない遠隔地域に位置しているため、輸送に関わるコストおよび組立工程の完了に必要な労働者が重要になる場合がある。さらに、現地の組立工程中に直面する問題は、多くの場合、容易に是正することができない。不良部品の場合は、このような部品を、その工場に輸送して戻し、交換部品を、組立場所に再び輸送する必要がある。このことは、通常の組立工程に関わる時間および労働のコストを増加させ、また、工期の遅延を招く場合がある。
【先行技術文献】
【特許文献】
【０００４】
【特許文献１】米国特許出願公開第２００９００４９８４２号明細書
【発明の概要】
【０００５】
本発明の一態様によれば、ガスタービンエンクロージャ装置であって、内部が形成されたフレームと、内部に配置されるガスタービン装置であって、第１の場所で予め組み立てられ、第２の場所に配置されるガスタービンと接続可能であるガスタービン装置と、フレームと連結可能な壁パネルとを含むガスタービンエンクロージャ装置が提供される。本装置は、ガスタービン装置がガスタービンに露出され、壁パネルの一部がガスタービンおよびガスタービン装置の外部エンクロージャの一部を形成するようにガスタービンの近傍に配置可能である。
【０００６】
本発明の別の態様によれば、ガスタービンエンクロージャ装置であって、内部が形成されたフレームと、内部に配置されるガスタービン装置であって、第１の場所で予め組み立てられ、第２の場所に配置されるガスタービンと接続可能であるガスタービン装置と、フレームと連結可能な固定的な防音壁パネルおよび一時的な輸送コンテナパネルとを含むガスタービンエンクロージャ装置が提供される。本装置は、一時的な輸送コンテナパネルがフレームから取り外されると、ガスタービン装置が、ガスタービンに露出され、固定的な防音壁パネルが、ガスタービンおよびガスタービン装置の外部エンクロージャの一部を形成するように、ガスタービンの近傍に配置可能であり、別のガスタービンエンクロージャ装置に積み重ね可能である。
【０００７】
本発明のさらに別の態様によれば、ガスタービンを収容するためのガスタービンエンクロージャ装置が提供される。本装置は、少なくとも１種類以上のモジュールを含む複数のモジュールを含む。各モジュールは、内部が形成されたフレームと、内部に配置されるガスタービン装置であって、第１の場所で予め組み立てられ、第２の場所に配置されるガスタービンと接続可能であるガスタービン装置と、フレームと連結可能な壁パネルとを含む。複数のモジュールの各モジュールの壁パネルの一部は、ガスタービンおよびガスタービン装置の外部エンクロージャの一部を協働して形成する。
【０００８】
これらのおよび他の利点および特徴は、図面に関連して行われる以下の説明からより明らかとなる。
【０００９】
本発明として考えられている主題は、本明細書の最後にある特許請求の範囲において特に指摘され、明確に特許請求される。本発明の前述のおよび他の特徴および利点は、添付図面に関連して行われる以下の詳細な説明から明らかとなる。
【図面の簡単な説明】
【００１０】
【図１】実施形態に係るガスタービンの斜視図である。
【図２】実施形態に係る図１のガスタービンの近傍に配置される燃料制御モジュールの斜視図である。
【図３】実施形態に係る図１のガスタービンの近傍に配置される抽気モジュールの斜視図である。
【図４】実施形態に係る図１のガスタービンの近傍に配置される排水モジュールの斜視図である。
【図５】実施形態に係る図１のガスタービンの近傍に配置される付加的な抽気モジュールの斜視図である。
【図６】実施形態に係る図１のガスタービンのエンクロージャの作業足場およびグレーチングの斜視図である。
【図７】実施形態に係る図１のガスタービンのエンクロージャのルーフの斜視図である。
【図８】ガスタービンのエンクロージャを組み立てる方法を示すフロー図である。
【図９】実施形態に係るガスタービンを収容するためのガスタービンエンクロージャ装置を組み立てる方法を示すフロー図である。
【発明を実施するための形態】
【００１１】
詳細な説明では、本発明の実施形態が、利点および特徴と共に、図面を参照しながら例として説明される。
【００１２】
組み立てられる補助的な配管、弁、電気部品、および他の部品は、ガスタービンが予め組み立てられて配備される場所に到着するモジュールにパッケージ化される。この予備組立は、プラント建設の高速化、建設コストの低減、および品質不良の低減を可能にする。
【００１３】
図１を参照すると、ガスタービン１０が用意されている。ガスタービン１０は、圧縮機１１、燃焼器１２、およびタービン部１３を含む。圧縮機１１は、流入空気を受け入れる入口１１０を含み、また、流入空気を圧縮するように構成されている。燃焼器１２は、アニュラ型燃焼器（ａｎｎｕｌａｒ  ｃｏｍｂｕｓｔｏｒ）としてまたはカニュラ型配列（ｃａｎ−ａｎｎｕｌａｒ  ａｒｒａｙ）１２０に配置された複数の燃焼器１２として用意されてもよい。燃焼器１２またはカニュラ型配列１２０の複数の燃焼器１２は、高温高圧の作動流体を生成するために圧縮された流入空気と燃料とを混合して、燃料を燃焼させるように構成される。作動流体は、タービン部１３に受け入れられ、そこで、作動流体は、機械的エネルギーを発生させるために膨張される。この機械的エネルギーは、圧縮機の回転を駆動するために使用され、また、発電に用いられてもよい。
【００１４】
複数の予め組み立てられるモジュールが、以下で説明されるように第１の場所１で予め組み立てられる一方で、ガスタービン１０は、第２の場所２に配置可能である。第２の場所２は、第１の場所１から遠く離れていてもよい。第２の場所において、ガスタービン１０は、ベース１４によって支持されている。
【００１５】
複数の予め組み立てられるモジュールのそれぞれは、第１の場所１で組み立てられてもよく、また、複数の予め組み立てられるモジュールは、少なくとも１種類以上のモジュールを含む。典型的なモジュールは、燃料制御モジュール２０（図２参照）、抽気モジュール３０（図３参照）、排水モジュール４０（図４参照）、および付加的な抽気モジュール５０（図５参照）を含んでもよい。
【００１６】
図２を参照すると、燃料制御モジュール２０は、内部２２が形成された略矩形の容積体として用意されたフレーム２１と、内部２２に配置されるガスタービン装置２３と、壁パネル２４とを含む。ガスタービン装置２３は、第１の場所１で内部２２において予め組み立てられ、配管、配管サポート、弁、および電気装置のある組み合わせを含み、第２の場所２に配置されたガスタービン１０の燃料・空気マニホールド１５と接続可能である。壁パネル２４は、フレーム２１と連結可能であり、固定的な防音壁パネル２４１および一時的な輸送コンテナパネル２４２を含む。
【００１７】
図２に示されているように、燃料制御モジュール２０は、第１の場所１で予め組み立てられ、第１の場所１から第２の場所２に輸送されてもよい。第２の場所２において、一時的な輸送コンテナパネル２４２は取り外され、燃料制御モジュール２０は、ベース１４と同じ高さでガスタービン１０の近傍に配置される。一時的な輸送コンテナパネル２４２が取り外されると、ガスタービン装置２３は、ガスタービンエンジン１０（より具体的には、ガスタービン１０の燃料・空気マニホールド１５）との接続のために上下方向に露出され、横方向に露出される。固定的な防音壁パネル２４１は、ガスタービン１０およびガスタービン装置２３の外部エンクロージャ６０の第１の部分６０１を形成する。
【００１８】
図３を参照すると、抽気モジュール３０は、内部３２が形成された略矩形の容積体として用意されたフレーム３１と、内部３２に配置されるガスタービン装置３３と、壁パネル３４とを含む。ガスタービン装置３３は、第１の場所１で内部３２において予め組み立てられ、配管、配管サポート、弁、および電気装置のある組み合わせを含み、第２の場所２に配置されたガスタービン１０と接続可能である。壁パネル３４は、フレーム３１と連結可能であり、固定的な防音壁パネル３４１および一時的な輸送コンテナパネル３４２を含む。
【００１９】
図３に示されているように、抽気モジュール３０は、第１の場所１で予め組み立てられ、第１の場所１から第２の場所２に輸送されてもよい。第２の場所２において、一時的な輸送コンテナパネル３４２は取り外され、抽気モジュール３０は、ガスタービン１０の近傍に配置される。より具体的には、抽気モジュール３０は、抽気モジュール３０がガスタービン１０と同じ高さに配置されるように燃料制御モジュール２０上に配置されるが、この場合、一時的な輸送コンテナパネル２４２の一部は取り外されている。一時的な輸送コンテナパネル３４２が取り外されると、ガスタービン装置３３は、ガスタービンエンジン１０との接続のために露出される。固定的な防音壁パネル３４１は、外部エンクロージャ６０の第２の部分６０２を形成する。
【００２０】
図４を参照すると、排水モジュール４０は、内部４２が形成された略矩形の容積体として用意されたフレーム４１と、内部４２に配置されるガスタービン装置４３と、壁パネル４４とを含む。ガスタービン装置４３は、第１の場所１で内部４２において予め組み立てられ、配管、配管サポート、弁、および電気装置のある組み合わせを含み、第２の場所２に配置されたガスタービン１０と接続可能である。壁パネル４４は、フレーム４１と連結可能であり、固定的な防音壁パネル４４１および一時的な輸送コンテナパネル４４２を含む。
【００２１】
図４に示されているように、排水モジュール４０は、第１の場所１で予め組み立てられ、第１の場所１から第２の場所２に輸送されてもよい。第２の場所２において、一時的な輸送コンテナパネル４４２は取り外され、排水モジュール４０は、燃料制御モジュール２０の反対側においてベース１４と同じ高さでガスタービン１０の近傍に配置される。一時的な輸送コンテナパネル４４２が取り外されると、ガスタービン装置４３は、ガスタービンエンジン１０との接続のために上下方向に露出され、横方向に露出される。固定的な防音壁パネル４４１は、外部エンクロージャ６０の第３の部分６０３を形成する。
【００２２】
図５を参照すると、付加的な抽気モジュール５０は、内部５２が形成された略矩形の容積体として用意されたフレーム５１と、内部５２に配置されるガスタービン装置５３と、壁パネル５４とを含む。ガスタービン装置５３は、第１の場所１で内部５２において予め組み立てられ、配管、配管サポート、弁、および電気装置のある組み合わせを含み、第２の場所２に配置されたガスタービン１０と接続可能である。壁パネル５４は、フレーム５１と連結可能であり、固定的な防音壁パネル５４１および一時的な輸送コンテナパネル５４２を含む。
【００２３】
図５に示されているように、付加的な抽気モジュール５０は、第１の場所１で予め組み立てられ、第１の場所１から第２の場所２に輸送されてもよい。第２の場所２において、一時的な輸送コンテナパネル５４２は取り外され、付加的な抽気モジュール５０は、ガスタービン１０の近傍に配置される。より具体的には、付加的な抽気モジュール５０は、付加的な抽気モジュール５０がガスタービン１０と同じ高さに配置されるように排水モジュール４０上に配置されるが、この場合、一時的な輸送コンテナパネル４４２の一部は取り外されている。一時的な輸送コンテナパネル５４２が取り外されると、ガスタービン装置５３は、ガスタービンエンジン１０との接続のために露出される。固定的な防音壁パネル５４１は、外部エンクロージャ６０の第４の部分６０４を形成する。
【００２４】
図６を参照すると、エンクロージャ６０の作業足場６１およびグレーチング６２は、場所２で設置されてもよいし、または上述したモジュールの一部として予め設置されてもよい。
【００２５】
図７を参照すると、エンクロージャ６０の第５の部分６０５を形成するルーフ６３は、抽気モジュール３０および付加的な抽気モジュール５０上に配置されてもよく、この場合、一時的な輸送パネル３４２および５４２の一部は取り外されている。ルーフ６３は、さらなるモジュール（配管、弁、および電気部品を含んでも含まなくてもよい）がない場合にエンクロージャを完成させる側壁６３１およびルーフ部分６３２を含む。側壁６３１は、様々な保守点検用進入位置６４、換気口６５、および入口開口６６が設けられるように形成されてもよい。
【００２６】
上で指摘したように、ガスタービン装置２３、３３、４３、および５３が、様々なモジュールに予め組み立てられるため、現地の組立工程は、ガスタービン装置２３、３３、４３、および５３とガスタービン１０との接続に限られる。これにより、現場溶接、現場で取り付けられる部品および弁、ならびにタービン供給者の配管システムとプラント設置者の配管システムとの接続の大幅な低減がもたらされ得る。
【００２７】
図８を参照すると、態様によれば、ガスタービンのエンクロージャを組み立てる方法が提供される。本方法は、第１の場所でフレームの内部にガスタービン装置を配置するステップ（作業工程２００）と、第１の場所で予め組み立てられたモジュールを形成するために固定的な防音壁パネルおよび一時的な輸送コンテナパネルをフレームに連結するステップ（作業工程２０１）と、第１の場所から第２の場所に予め組み立てられたモジュールを輸送するステップ（作業工程２０２）と、固定的な防音壁パネルがガスタービンおよびガスタービン装置の外部エンクロージャの一部を形成するようにガスタービンの近傍に予め組み立てられたモジュールを配置するステップ（作業工程２０３）と、ガスタービン装置がガスタービンとの接続のために露出されるようにフレームから一時的な輸送コンテナパネルを取り外すステップ（作業工程２０４）とを含む。
【００２８】
図９を参照すると、本発明のさらなる実施形態によれば、ガスタービンを収容するためのガスタービンエンクロージャ装置を組み立てる方法が提供される。本方法は、少なくとも１種類以上のモジュールを含む複数のモジュールを予め組み立てるステップ（作業工程２１０）であって、フレームの内部にガスタービン装置を配置すること（作業工程２１１）および第１の場所で壁パネルをフレームに連結すること（作業工程２１２）を含む予め組み立てるステップ（作業工程２１０）と、第１の場所から第２の場所に複数のモジュールを輸送するステップ（作業工程２１３）と、ガスタービン装置がガスタービンとの接続のために露出され、複数のモジュールの各モジュールの壁パネルの一部がガスタービンおよびガスタービン装置の外部エンクロージャの一部を形成するように、ガスタービンの近傍に複数のモジュールを配置するステップ（作業工程２１４）とを含む。
【００２９】
実施形態によれば、作業工程２１０の予め組み立てるステップは、燃料制御モジュールを予め組み立てること、抽気モジュールを予め組み立てること、排水モジュールを予め組み立てること、および付加的な抽気モジュールを予め組み立てることを含む。さらなる実施形態によれば、本方法は、外部エンクロージャ内にガスタービン用作業足場を設置するステップ（作業工程２１５）と、複数のモジュールの一部によってグレーチングを支持するステップ（作業工程２１６）と、外部エンクロージャに１つ以上の保守点検用進入位置を形成するステップ（作業工程２１７）と、外部エンクロージャを完成させるために、必要な残りのパネルと共にルーフ部分を外部エンクロージャに取り付けるステップ（作業工程２１８）とを含んでもよい。
【００３０】
本発明について、限られた数の実施形態のみに関連して詳細に説明してきたが、本発明は、このような開示された実施形態に限定されるわけではないことが容易に理解されるべきである。それどころか、本発明は、これまでに説明されていないが、本発明の精神および範囲に相応する任意の数の変形、変更、置換、または同等の配置を取り入れるために修正されてもよい。さらに、本発明の様々な実施形態について説明してきたが、本発明の態様が、説明されている実施形態の一部しか含まなくてもよいことが理解されるべきである。したがって、本発明は、前述の説明によって限定されるものとして理解されるべきではなく、添付の特許請求の範囲によってのみ限定される。
【符号の説明】
【００３１】
１  第１の場所
２  第２の場所
１０  ガスタービン
１１  圧縮機
１２  燃焼器
１３  タービン部
１４  ベース
１５  燃料・空気マニホールド
２０  燃料制御モジュール
２１  フレーム
２２  内部
２３  ガスタービン装置
２４  壁パネル
３０  抽気モジュール
３１  フレーム
３２  内部
３３  ガスタービン装置
３４  壁パネル
４０  排水モジュール
４１  フレーム
４２  内部
４３  ガスタービン装置
４４  壁パネル
５０  付加的な抽気モジュール
５１  フレーム
５２  内部
５３  ガスタービン装置
５４  壁パネル
６０  外部エンクロージャ
６１  作業足場
６２  グレーチング
６３  ルーフ
６４  保守点検用進入位置
６５  換気口
６６  入口開口
１１０  入口
１２０  配列
２４１  固定的な防音壁パネル
２４２  一時的な輸送コンテナパネル
３４１  固定的な防音壁パネル
３４２  一時的な輸送コンテナパネル
４４１  固定的な防音壁パネル
４４２  一時的な輸送コンテナパネル
５４１  固定的な防音壁パネル
５４２  一時的な輸送コンテナパネル
６０１  第１の部分
６０２  第２の部分
６０３  第３の部分
６０４  第４の部分
６０５  第５の部分
６３１  側壁
６３２  ルーフ部分
【図１】
2015086875.tif 000003
【図２】
2015086875.tif 000004
【図３】
2015086875.tif 000005
【図４】
2015086875.tif 000006
【図５】
2015086875.tif 000007
【図６】
2015086875.tif 000008
【図７】
2015086875.tif 000009
【図８】
2015086875.tif 000010
【図９】
2015086875.tif 000011
【外国語明細書】
2015086875000001.pdf